(57)【要約】【課題】開口パターンの位置誤差を低減した単位マスクストリップおよびこれを用いた有機発光表示装置の製造方法に関する。【解決手段】本発明の一実施形態にかかる単位マスクストリップ１１０は、長手方向に引張されてフレーム１４０に固定される単位マスクストリップ１１０であって、開口パターン１２２が、前記長手方向と直交する幅方向に平行な複数の行と、前記長手方向に平行な複数の列とを有するマトリクス形態で配列される複数の単位マスキングパターン部１２０を含み、前記各行は、曲率を有し、かつ前記単位マスキングパターン部１２０の内部に向かって凹んで形成され、前記各列は、曲率を有し、かつ前記単位マスキングパターン部１２０の外部に向かって膨らんで形成される。【選択図】図１
2014105392.tif 000002
【特許請求の範囲】
【請求項１】
長手方向に引張されてフレームに固定される単位マスクストリップであって、
開口パターンが、前記長手方向と直交する幅方向に平行な複数の行と、前記長手方向に平行な複数の列とを有するマトリクス形態で配列される複数の単位マスキングパターン部を含み、
前記各行は、曲率を有し、かつ前記単位マスキングパターン部の内部に向かって凹んで形成され、前記各列は、曲率を有し、かつ前記単位マスキングパターン部の外部に向かって膨らんで形成されることを特徴とする単位マスクストリップ。
【請求項２】
前記複数の行は、前記単位マスキングパターン部の前記長手方向の中心に近く配列された行ほど曲率が減少するように形成されることを特徴とする請求項１に記載の単位マスクストリップ。
【請求項３】
前記複数の列は、前記単位マスキングパターン部の前記幅方向の中心に近く配列された列ほど曲率が減少するように形成されることを特徴とする請求項１または請求項２に記載の単位マスクストリップ。
【請求項４】
前記各行は、前記単位マスキングパターン部の中心から外郭へいくほど曲率が減少するように形成されることを特徴とする請求項１〜３のいずれか一項に記載の単位マスクストリップ。
【請求項５】
前記各列は、前記単位マスキングパターン部の中心から外郭へいくほど曲率が減少するように形成されることを特徴とする請求項１〜４のいずれか一項に記載の単位マスクストリップ。
【請求項６】
前記各行は、前記単位マスキングパターン部の前記長手方向の中心を基準として対称に形成されることを特徴とする請求項１〜５のいずれか一項に記載の単位マスクストリップ。
【請求項７】
前記各列は、前記単位マスキングパターン部の前記幅方向の中心を基準として対称に形成されることを特徴とする請求項１〜６のいずれか一項に記載の単位マスクストリップ。
【請求項８】
前記単位マスキングパターン部は、遮断領域をおいて前記長手方向に一定間隔で配列されることを特徴とする請求項１〜７のいずれか一項に記載の単位マスクストリップ。
【請求項９】
フレームを用意するステップと、
長手方向に延長形成され、開口パターンが、前記長手方向と直交する幅方向に平行な複数の行と、前記長手方向に平行な複数の列とを有するマトリクス形態で配列される複数の単位マスキングパターン部を含み、前記各行は、曲率を有し、かつ前記単位マスキングパターン部の内部に向かって凹んで形成され、前記各列は、曲率を有し、かつ前記単位マスキングパターン部の外部に向かって膨らんで形成される単位マスクストリップを用意するステップと、
前記単位マスクストリップを前記長手方向に引張するステップと、
前記単位マスクストリップの両端を前記フレームに固定するステップとを含むことを特徴とする有機発光表示装置の製造方法。
【請求項１０】
前記単位マスクストリップを前記長手方向に引張するステップは、
前記各行と前記各列とがそれぞれ一直線となるように前記単位マスクストリップを引張することを特徴とする請求項９に記載の有機発光表示装置の製造方法。
【請求項１１】
前記開口パターンは、偶数行に配列される開口パターンと、奇数行に配列される開口パターンとが、前記長手方向からみて交互に配列されるように形成されることを特徴とする請求項１０に記載の有機発光表示装置の製造方法。
【発明の詳細な説明】
【技術分野】
【０００１】
本発明は、単位マスクストリップおよびこれを用いた有機発光表示装置の製造方法に関するものであって、より具体的には、開口パターンの位置誤差を低減した単位マスクストリップおよびこれを用いた有機発光表示装置の製造方法に関するものである。
【背景技術】
【０００２】
有機発光表示装置（ｏｒｇａｎｉｃ  ｌｉｇｈｔ  ｅｍｉｔｔｉｎｇ  ｄｉｏｄｅ  ｄｉｓｐｌａｙ）は、正孔注入電極と電子注入電極、そして、これらの間に形成されている有機発光層を含み、アノードから注入される正孔とカソードから注入される電子が有機発光層で再結合し、消滅しながら光を出す自発光型表示装置である。また、有機発光表示装置は、低い消費電力、高い輝度、広い視野角度および高い反応速度などの高品位特性を示すため、携帯用電子機器の次世代表示装置として注目されている。
【０００３】
有機発光表示装置は、薄膜トランジスタと有機発光素子（ＯＬＥＤ：ｏｒｇａｎｉｃ  ｌｉｇｈｔ  ｅｍｉｔｔｉｎｇ  ｄｉｏｄｅ）が形成された表示基板を含む有機発光表示パネルを含む。有機発光素子は、アノード、カソードおよび有機発光層を含み、アノードとカソードからそれぞれ注入された正孔および電子が励起子を形成し、励起子が基底状態に遷移しながら発光が行われる。
【０００４】
有機発光表示装置のような平板表示装置において、有機物や電極として使用される金属などは、薄膜蒸着装置を用いて真空雰囲気で当該物質を蒸着し、平板上に薄膜を形成する真空蒸着法を利用する。真空蒸着法は、薄膜蒸着装置の真空チャンバの内部に有機薄膜を成膜させる基板を位置させ、蒸着ソースユニットを用いて有機物を蒸発または昇華させ、基板に蒸着させる方法によって行われる。
【０００５】
基板上に所望する形態の有機膜を形成するために蒸着用マスクが用いられる。一定の大きさ以上の大型基板に有機物を蒸着する場合、マスクとしては、所望するパターンの安定した有機物蒸着のために、高い耐久性および強度を有するメタルマスクが使用できる。このようなメタルマスクを用いた蒸着技術は、大型有機発光表示装置などの製造のための有機物蒸着およびカソード電極形成工程に利用可能である。
【０００６】
高精細メタルマスク（ｆｉｎｅ  ｍｅｔａｌ  ｍａｓｋ：ＦＭＭ）は、大型基板に高精細パターンの有機物を蒸着するためのマスクである。高精細メタルマスクを用いると、基板の定められた位置に複数の所望する高精細パターンの有機物を一度に形成することができる。所望するパターンの有機物蒸着のために、高精細メタルマスクは、有機物が通過する複数の長方形スロットを備えるか、ストライプ形態のスリットのような開口パターンを備えることができる。ここで、開口パターンは、グループをなして単位マスキングパターン部を形成することができ、高精細メタルマスクは、複数の単位マスキングパターン部が一列に整列されたストリップ形態の単位マスクストリップが、一定方向に沿って並んで配置されるように構成されてもよい。
【０００７】
高精細メタルマスクを基板に密着させた後、有機物の蒸着が行われるが、従来のマスクの場合、マスクの自重によってマスクの中央部が基板などに密着できない問題があった。この問題は、有機発光ディスプレイ装置の大型化が進むほどより深刻になる。
【０００８】
このようなマスクの自重による垂れ下がりを防止するために、有機物の通過する開口パターンが形成されたマスクストリップをフレームに固定する時、一定方向に均一に引張力が加えられる。この時、引張力によって開口パターンの位置に歪曲が発生し、設定された公差範囲に合わせることが困難になる。したがって、正確な位置に有機発光層を蒸着できず、表示品質の低下をもたらす問題が発生する。
【先行技術文献】
【特許文献】
【０００９】
【特許文献１】韓国特許第０７７８３９８号公報
【特許文献２】韓国特許第１１２８４１９号公報
【特許文献３】特開１９９５−０３７４９１号公報
【発明の概要】
【発明が解決しようとする課題】
【００１０】
本発明の一態様は、複数の単位マスクストリップを引張してフレームに固定する時に発生し得る開口パターンの位置誤差を低減した単位マスクストリップおよびこれを用いた有機発光ディスプレイ装置の製造方法を提供することである。
【００１１】
また、本発明の他の態様は、引張方向に直交する方向への変形量だけでなく、引張方向への変形量を予想して開口パターンの位置誤差を低減した単位マスクストリップおよびこれを用いた有機発光ディスプレイ装置の製造方法を提供することである。
【課題を解決するための手段】
【００１２】
本発明の一実施形態にかかる単位マスクストリップは、長手方向に引張されてフレームに固定される単位マスクストリップであって、開口パターンが、前記長手方向と直交する幅方向に平行な複数の行と、前記長手方向に平行な複数の列とを有するマトリクス形態で配列される複数の単位マスキングパターン部を含み、前記各行は、曲率を有し、かつ前記単位マスキングパターン部の内部に向かって凹んで形成され、前記各列は、曲率を有し、かつ前記単位マスキングパターン部の外部に向かって膨らんで形成される。
【００１３】
この時、前記複数の行は、前記単位マスキングパターン部の前記長手方向の中心に近く配列された行ほど曲率が減少するように形成できる。
【００１４】
一方、前記複数の列は、前記単位マスキングパターン部の前記幅方向の中心に近く配列された列ほど曲率が減少するように形成できる。
【００１５】
一方、前記各行は、前記単位マスキングパターン部の中心から外郭へいくほど曲率が減少するように形成できる。
【００１６】
一方、前記各列は、前記単位マスキングパターン部の中心から外郭へいくほど曲率が減少するように形成できる。
【００１７】
一方、前記各行は、前記単位マスキングパターン部の前記長手方向の中心を基準として対称に形成できる。
【００１８】
一方、前記各列は、前記単位マスキングパターン部の前記幅方向の中心を基準として対称に形成できる。
【００１９】
一方、前記単位マスキングパターン部は、遮断領域をおいて前記長手方向に一定間隔で配列できる。
【００２０】
本発明の一実施形態にかかる有機発光表示装置の製造方法は、フレームを用意するステップと、長手方向に延長形成され、開口パターンが、前記長手方向と直交する幅方向に平行な複数の行と、前記長手方向に平行な複数の列とを有するマトリクス形態で配列される複数の単位マスキングパターン部を含み、前記各行は、曲率を有し、かつ前記単位マスキングパターン部の内部に向かって凹んで形成され、前記各列は、曲率を有し、かつ前記単位マスキングパターン部の外部に向かって膨らんで形成される単位マスクストリップを用意するステップと、前記単位マスクストリップを前記長手方向に引張するステップと、前記単位マスクストリップの両端を前記フレームに固定するステップとを含む。
【００２１】
この時、前記単位マスクストリップを前記長手方向に引張するステップは、前記各行と前記各列とがそれぞれ一直線となるように前記単位マスクストリップを引張する。
【００２２】
この時、前記開口パターンは、偶数行に配列される開口パターンと、奇数行に配列される開口パターンとが、前記長手方向からみて交互に配列されるように形成される。
【発明の効果】
【００２３】
本発明の実施形態によれば、単位マスクストリップをフレームに固定する時、引張方向および引張方向と直交する方向への変形量を予想して開口パターンの位置を補償設計することにより、単位マスクストリップがフレームに固定された後、開口パターンの位置が蒸着しようとする有機発光層パターンの位置に誤差なく対応することができる。
【００２４】
開口パターンの位置を補正することにより、有機発光層のパターンの精度を高めて表示品質を向上させることができ、基板およびマスクの大きさが増加しても、開口パターンが所望する位置に誤差なく配置できる。
【図面の簡単な説明】
【００２５】
【図１】本発明の一実施形態にかかる単位マスクストリップを含む蒸着用マスクを概略的に示す斜視図である。
【図２】本発明の一実施形態にかかる単位マスクストリップを引張する前に、単位マスクストリップの一部を拡大した平面図である。
【図３】本発明の一実施形態にかかる単位マスクストリップを引張する前に、単位マスクストリップの一部を拡大した平面図である。
【図４】本発明の一実施形態にかかる単位マスクストリップを引張する前に、単位マスクストリップの一部を拡大した平面図である。
【図５】本発明の一実施形態にかかる単位マスクストリップを引張した後に、単位マスクストリップの一部を拡大した平面図である。
【図６】基板に一実施形態にかかる単位マスクストリップを含む蒸着用マスクを用いて有機膜を蒸着するための蒸着装置を概略的に示す断面図である。
【発明を実施するための形態】
【００２６】
以下、図面を参照しながら、本発明にかかる単位マスクストリップおよびこれを用いた有機発光表示装置の製造方法に関して具体的に説明する。しかし、本発明は、以下に開示される実施形態に限定されるものではなく、互いに異なる多様な形態で実現可能であり、単に本実施形態は本発明の開示が完全になるようにし、通常の知識を有する者に発明の範疇を完全に知らせるために提供されるものである。図面上において、同一の符号は同一の要素を指し示す。
【００２７】
図面において、様々な層および領域を明確に表現するために厚さを拡大して示した。そして、図面において、説明の便宜のために、一部の層および領域の厚さを誇張して示した。層、膜、領域、板などの部分が他の部分の「上に」あるとする時、これは、他の部分の「直上に」ある場合のみならず、その中間にさらに他の部分がある場合も含む。
【００２８】
また、明細書全体において、ある部分がある構成要素を「含む」とする時、これは、特に反対となる記載がない限り、他の構成要素を除外するのではなく、他の構成要素をさらに包含できることを意味する。さらに、明細書全体において、「〜上に」とは、対象部分の上または下に位置することを意味するもので、必ずしも重力方向を基準として上側に位置することを意味するものではない。
【００２９】
図１は、本発明の一実施形態にかかる単位マスクストリップを含む蒸着用マスクを概略的に示す斜視図である。
【００３０】
図１を参照すれば、本発明の一実施形態にかかる単位マスクストリップ１１０は、複数の単位マスキングパターン部１２０を含み、長手方向（ｙ軸方向）に引張されてフレームに固定される。
【００３１】
単位マスクストリップ１１０は、一方向（ｙ軸方向）に延長形成された薄板であって、複数の単位マスクストリップ１１０が長手方向に並んでフレーム１４０に固定され、蒸着用マスク１００を構成する。蒸着用マスク１００は、基板上に有機膜のパターンを形成するための部材であって、有機物の蒸着を遮断する遮断領域の間に開口パターンが形成され、開口パターンを介して基板上に有機物を蒸着させる。
【００３２】
単位マスクストリップ１１０は、フレーム１４０に固定される時、長手方向に引張されて固定される。単位マスクストリップ１１０は、長手方向に引張することにより、単位マスクストリップがフレーム１４０に固定される時に自重によって垂れ下がるのを防止することができる。
【００３３】
単位マスクストリップ１１０は、弾性力および剛性を有する金属素材で構成可能であり、ニッケル、ニッケル合金、ニッケル−コバルト合金などで形成することができるが、これに限定されるものではなく、弾性力および剛性を有する多様な金属の中から選択可能である。
【００３４】
フレーム１４０は、単位マスクストリップ１１０を固定するための手段であって、一般的に互いに平行に配置される第１支持部１４２ａ、１４２ｂと、第１支持部１４２ａ、１４２ｂと交差する方向に互いに平行に配置される第２支持部１４４ａ、１４４ｂとが互いに連結されて長方形状に形成される。
【００３５】
単位マスクストリップ１１０は、第２支持部１４４ａ、１４４ｂに並ぶ方向に配置され、その両端が第１支持部１４２ａ、１４２ｂに固定される。フレーム１４０は、単位マスクストリップ１１０が引張された状態で支持されるため、フレーム１４０は、十分な剛性を有し、基板と蒸着用マスク１００との密着時に干渉を起こさない構造のいずれも可能である。
【００３６】
図２ないし図４は、本発明の一実施形態にかかる単位マスクストリップを引張する前に、単位マスクストリップの一部を拡大した平面図である。
【００３７】
図２ないし図４に示された単位マスキングパターン部１２０は、単位マスクストリップ１１０をフレーム１４０に固定するために引張する前の形状であって、単位マスクストリップ１１０を引張した後の開口パターンの配列と差があるが（図５参照）、まず、引張前の単位マスキングパターン部１２０について説明する。
【００３８】
各単位マスクストリップ１１０には、長手方向に沿って所定の間隔で複数の単位マスキングパターン部１２０が形成され、単位マスキングパターン部１２０は、遮断領域１３０をおいて長手方向に一定間隔で配列できる。
【００３９】
単位マスキングパターン部１２０は、被蒸着基板のマザー基板に配列される複数の単位素子に対応する領域であって、厚さ方向に貫通した複数の開口パターン１２２が所定の規則を有して配列された領域である。単位素子は、マザー基板をスクライブラインに沿って切断して製造される１つの表示装置を意味する。
【００４０】
前記単位素子をなす単位画素（ｐｉｘｅｌ）には、それぞれ赤色（Ｒ）、緑色（Ｇ）、青色（Ｂ）に発光する有機発光層が形成された副画素（ｓｕｂ−ｐｉｘｅｌ）が具備されるが、開口パターン１２２は、このような副画素パターンを形成するために、副画素パターンと同じ形状に形成される。本実施形態では、長方形状として示したが、これに限定されるものではなく、同一のパターンが繰り返し形成される多様な形態の中から選択可能である。
【００４１】
単位マスクストリップ１１０をフレーム１４０に固定する時、単位マスクストリップ１１０は、長手方向には伸張し、幅方向には収縮する。単位マスキングパターン部１２０も単位マスクストリップ１１０と同様に変化する。単位マスキングパターン部１２０が単位マスクストリップ１１０の引張後に、長手方向にＨ１の長さと幅方向にＷ１の幅を有する長方形状に形成されるために、長手方向への引張および幅方向への収縮する変化量を考慮して引張前の単位マスキングパターン部１２０を設計する。
【００４２】
図２を参照すれば、単位マスクストリップ１１０の引張時、単位マスキングパターン部１２０の長手方向に対する引張量が幅方向の中心線ＣＣ１においてσ１であり、幅方向の外郭へいくほど引張量が小さい（σ１＞σ２）。また、引張量は、一定に減少するのではなく、幅方向の外郭へいくほど減少量が次第に減少する。
【００４３】
単位マスキングパターン部１２０の幅方向に対する収縮量が長手方向の中心線ＣＬ１においてσ３であり、幅方向の外郭へいくほど引張量が小さい（σ３＞σ４）。また、収縮量は、一定に減少するのではなく、幅方向の外郭へいくほど減少量が減少する。後述する開口パターンの配列は、このような引張量および収縮量を考慮して設計される。
【００４４】
複数の開口パターン１２２は、長手方向（ｙ軸方向）と直交する幅方向（ｘ軸方向）に平行な複数の行と、長手方向に平行な複数の列とを有するマトリクス形態で配列される。
【００４５】
図３に示されるように、各行Ｌ１、Ｌ２、Ｌ３、Ｌ４・・・は、曲率を有し、かつ単位マスキングパターン部１２０の内部に向かって凹んで形成され、各列Ｃ１、Ｃ２、Ｃ３・・・は、曲率を有し、かつ単位マスキングパターン部１２０の外部に向かって膨らんで形成される。これは、単位マスクストリップ１１０をフレーム１４０に固定する時、単位マスクストリップ１１０は、長手方向に伸張し、幅方向には収縮するからである。
【００４６】
複数の行Ｌ１、Ｌ２、Ｌ３、Ｌ４・・・は、単位マスキングパターン部１２０の長手方向の中心ＣＬ１に近く配列された行ほど曲率が減少するように形成できる。
【００４７】
つまり、図３において、最外郭に配列されたＬ１行より内側に配列されたＬ２行がより小さい曲率を有し、Ｌ２行よりも内側に配列されたＬ３行がより小さい曲率を有する。これは、単位マスクストリップ１１０が引張される時、単位マスキングパターン部１２０は、長手方向の中心部よりその両端で引張量が大きいからである。単位マスキングパターン部１２０の長手方向の最も中心に配列されるＣＬ１行は直線に形成できる。
【００４８】
複数の列Ｃ１、Ｃ２、Ｃ３・・・は、単位マスキングパターン部１２０の幅方向の中心に近く配列された列ほど曲率が減少するように形成できる。
【００４９】
つまり、図３において、最外郭に配列されたＣ１列より内側に配列されたＣ２列がより小さい曲率を有し、Ｃ２列よりも内側に配列されたＣ３列がより小さい曲率を有する。これは、単位マスクストリップ１１０が引張される時、単位マスキングパターン部１２０は、幅方向の中心部よりその両端で収縮量が大きいからである。単位マスキングパターン部１２０の幅方向の最も中心に配列されたＣＣ１列は直線に形成できる。
【００５０】
各行Ｌ１、Ｌ２、Ｌ３・・・は、単位マスキングパターン部１２０の中心から外郭へいくほど曲率が減少するように形成できる。つまり、図４に示されるように、最外郭の行Ｌ１は、幅方向の中心ＣＣ１においてはＲＬ１の曲率半径を有し、幅方向の外郭においてはＲＬｎの曲率半径を有し、ＲＬ１よりＲＬｎが大きい。曲率半径と曲率は反比例の関係にあるため、各行は幅方向の中心から外郭へいくほど曲率が減少することが分かる（ＲＬ１＜ＲＬｎ）。これは、先に説明したように、幅方向の外郭へいくほど、長手方向への引張量が一定に減少するのではなく、減少量が次第に減少するからである。
【００５１】
同様に、各列Ｃ１、Ｃ２、Ｃ３・・・は、単位マスキングパターン部１２０の中心から外郭へいくほど曲率が減少するように形成できる。つまり、図４に示されるように、最外郭の列Ｃ１は、長手方向の中心ＣＬ１においてはＲＣ１の曲率半径を有し、幅方向の外郭においてはＲＣｎの曲率半径を有し、ＲＣ１よりＲＣｎが大きい。曲率半径と曲率は反比例の関係にあるため、各列は長手方向の中心から外郭へいくほど曲率が減少することが分かる（ＲＣ１＜ＲＣｎ）。これは、先に説明したように、長手方向の外郭へいくほど、幅方向への収縮量が一定に減少するのではなく、減少量が次第に減少するからである。
【００５２】
各行Ｌ１、Ｌ２、Ｌ３・・・は、単位マスキングパターン部１２０の長手方向の中心を基準として対称に形成できる。つまり、各行Ｌ１、Ｌ２、Ｌ３・・・は、長手方向の中心線であるＣＬ１を中心に対称をなす。また、各列Ｃ１、Ｃ２、Ｃ３・・・は、単位マスキングパターン部１２０の幅方向の中心を基準として対称に形成できる。つまり、各列Ｃ１、Ｃ２、Ｃ３・・・は、幅方向の中心線であるＣＣ１を中心に対称をなす。
【００５３】
図５は、本発明の一実施形態にかかる単位マスクストリップを引張した後に、単位マスクストリップの一部を拡大した平面図である。
【００５４】
図５に示されるように、本実施形態における単位マスクストリップ１１０ａは、長手方向に引張すると、単位マスキングパターン部１２０ａは、長手方向には引張されながら、幅方向には収縮するため、単位マスキングパターン部１２０ａの内部に向かって凹んで形成された開口パターン１２２の行Ｌ１、Ｌ２、Ｌ３・・・と、単位マスキングパターン部１２０ａの外部に向かって膨らんで形成された開口パターン１２２の列Ｃ１、Ｃ２、Ｃ３・・・とは一直線に変換される。
【００５５】
以下、本発明の一実施形態にかかる有機発光表示装置の製造方法について説明する。
【００５６】
本発明の一実施形態にかかる有機発光表示装置の製造方法は、フレームを用意するステップと、単位マスクストリップを用意するステップと、単位マスクストリップを引張するステップと、単位マスクストリップの両端をフレームに固定するステップとを含む。
【００５７】
まず、フレーム１４０を用意する。フレーム１４０は、先に説明したように、互いに平行に配置される第１支持部１４２ａ、１４２ｂと、第１支持部１４２ａ、１４２ｂと交差する方向に互いに平行に配置される第２支持部１４４ａ、１４４ｂとが互いに連結されて長方形状に形成される。
【００５８】
単位マスクストリップを用意する。具体的には、前述した本発明の実施形態にかかる単位マスクストリップ１１０を用意する。
【００５９】
単位マスクストリップ１１０をフレーム１４０に固定する前に、長手方向に引張する（図１中の右側から２番目の単位マスクストリップ１１０ａを参照）。単位マスクストリップ１１０は、引張する前には、図２ないし図４に示されるように、単位マスキングパターン部１２０に形成される開口パターン１２２が長手方向と直交する複数の行Ｌ１、Ｌ２・・・と、長手方向に平行な複数の列Ｃ１、Ｃ２・・・とを有するマトリクス形態で配列され、各行Ｌ１、Ｌ２・・・は、曲率を有し、かつ単位マスキングパターン部１２０の内部に向かって凹んで形成され、各列Ｃ１、Ｃ２・・・は、曲率を有し、かつ単位マスキングパターン部１２０の外部に向かって膨らんで形成される。
【００６０】
このような単位マスクストリップ１１０ａを引張すると、単位マスキングパターン部１２０ａは、長手方向には引張されながら、幅方向には収縮するため、図５に示されるように、単位マスキングパターン部１２０ａの内部に向かって凹んで形成された開口パターン１２２の行Ｌ１'、Ｌ２'、Ｌ３'・・・と、単位マスキングパターン部１２０ａの外部に向かって膨らんで形成された開口パターン１２２の列Ｃ１'、Ｃ２'、Ｃ３'・・・とが一直線に変換される。
【００６１】
この時、開口パターン１２２は、図５に示されるように、偶数行Ｌ２'、Ｌ４'・・・に配列される開口パターン１２２と、奇数行Ｌ１'、Ｌ３'・・・に配列される開口パターン１２２とが、長手方向からみて交互に配列されるように形成できる。
【００６２】
図６は、基板に一実施形態にかかる単位マスクストリップを含む蒸着用マスクを用いて有機膜を蒸着するための蒸着装置を概略的に示す断面図である。
【００６３】
図６を参照すれば、蒸着用マスク１００を用いて有機発光ディスプレイ装置の薄膜、つまり、赤色（Ｒ）、緑色（Ｇ）、青色（Ｂ）の有機発光層を蒸着するためには、適切な真空度が維持される真空チャンバ（図示せず）内に蒸着源４００を配置する。本実施形態では、有機発光表示装置の電極と発光層を形成するために使用されるものとして例示するが、これに限定されず、蒸着用マスク１００は他の平板表示装置の電極などを形成するために適用可能である。
【００６４】
真空チャンバには、真空チャンバ内部の気体を排出させて真空チャンバ内部の圧力を低下させる真空ポンプ（図示せず）や、真空チャンバの内部に一定の気体を注入して真空チャンバ内部の圧力を高めるベンティング手段（図示せず）などの構成がさらに具備できる。
【００６５】
蒸着源４００は、蒸着物質を放出して基板２００に蒸着させる手段であって、内部に有機物のような蒸着物質を収納可能な空間（図示せず）が備えられ、有機物を気化して基板２００に噴射する。蒸着源４００は、場合によっては、点蒸着源、線形蒸着源などの多様な形態に形成できる。
【００６６】
基板２００は、基板固定部（図示せず）によって蒸着源４００に対向するように固定されるが、基板固定部は、基板２００に蒸着物質による薄膜を形成する間に基板２００を安定的に固定させ、処理完了後は基板２００を外部に排出しなければならないため、基板２００を容易に着脱できる構造を有する。基板固定部の構成は、通常の蒸着装置で用いられる構成と同一であるので、これに関する詳細な説明は省略する。
【００６７】
基板２００と蒸着源４００との間には、フレーム１４０とマスクストリップ１１０とから構成された蒸着用マスク１００を配置する。そして、蒸着用マスク１００を基板２００に密着させるためのマグネットユニット３００を駆動させ、蒸着用マスク１００が基板２００に密着するようにする。基板２００と蒸着用マスク１００を所望する位置に整列した後、蒸着源４００の内部を加熱し、蒸着源４００の内部に収納された有機物を気化して基板２００に蒸着する。
【００６８】
本実施形態および本明細書に添付された図面は、本発明に含まれる技術的思想の一部を明確に示しているに過ぎず、本発明の明細書および図面に含まれている技術的思想の範囲内で当業者が容易に想到できる多様な変形例と具体的な実施形態はすべて本発明の権利範囲に含まれることが自明である。
【符号の説明】
【００６９】
１００  蒸着用マスク、
１１０  単位マスクストリップ、
１１０ａ  引張後の単位マスクストリップ、
１２０  単位マスキングパターン部、
１２０ａ  引張後の単位マスキングパターン部、
１２２  開口パターン、
１３０  遮断部、
１４０  フレーム。
【図１】
2014105392.tif 000003
【図２】
2014105392.tif 000004
【図３】
2014105392.tif 000005
【図４】
2014105392.tif 000006
【図５】
2014105392.tif 000007
【図６】
2014105392.tif 000008